(57)【要約】【課題】  撮影者の操作感を損なうことなく、撮影者がサムリングから手を離しても、サムリングの中立点復帰時の騒音が発生しないことが可能となるズームレンズ操作装置を提供すること。【解決手段】  上記目的を達成するために、本発明は弾性部材とカム部材とカム摺動部材により、中立点位置を安定位置となるように弾性的に支持されたサムリングと、前記サムリングの回転変位が伝達されて動作に必要な出力信号を得ることで、テレビレンズのズーム遠隔操作を行わせるサーボコントロール手段を有するテレビレンズ操作装置において、前記サムリング内部に流体と錘部材と前記流体の漏れを防止する封止部材が設けられていることを特徴とする構成とした。【選択図】図１
2017097129.tif 000002
【特許請求の範囲】
【請求項１】
弾性部材とカム部材とカム摺動部材により、中立点位置を安定位置となるように弾性的に支持されたサムリングと、前記サムリングの回転変位が伝達されて動作に必要な出力信号を得ることで、テレビレンズのズーム遠隔操作を行わせるサーボコントロール手段を有するテレビレンズ操作装置において、
前記サムリング内部に流体と錘部材と前記流体の漏れを防止する封止部材が設けられていることを特徴とするテレビレンズ操作装置。
【請求項２】
前記錘部材が球又は円柱形状であることを特徴とする請求項１に記載のテレビレンズ操作装置。
【請求項３】
前記錘部材は前記流体よりも比重が大きいことを特徴とする請求項１又は請求項２に記載のテレビレンズ操作装置。
【請求項４】
前記錘部材が磁性体であり前記錘部材の位置を固定するための磁石が設けられていることを特徴とする請求項１乃至請求項３の何れか一項に記載のテレビレンズ操作装置。
【発明の詳細な説明】
【技術分野】
【０００１】
本発明は、レンズ操作装置、特に回転操作によりズームレンズの駆動系を制御するズームレンズのズームレンズ操作装置に関する。
【背景技術】
【０００２】
テレビカメラ用レンズにおいて、撮影者はズーム操作を行うためにズームレンズ操作装置を使用する。このズームレンズ操作装置は撮影者が手動で操作するための操作部材に相当するサムリングを有する。サムリング回転範囲の中点（サムリング中立点）からテレ方向およびワイド方向へ回転操作によって、サムリングの回転軸に取付けられた回転角度センサから角度信号を得る。得られた角度信号がサムリング中立点であれば、ズーム駆動信号の出力は行わない。
【０００３】
中立点以外のテレ方向もしくはワイド方向での角度信号が得られれば、その角度に応じて、テレ方向もしくはワイド方向へレンズ装置のモータ等の駆動装置を制御し、ズームスピードをコントロールする。撮影者が操作しない際には、サムリングが傾くことで角度信号が発生することが無いよう、弾性部材とカム部材及びカム部材に係合する摺動部材により常にサムリングが中立点に復帰する状態を維持する。
【０００４】
特許文献１には、ズームレンズ操作装置の中立点復帰機構に関する技術が開示されている。
【先行技術文献】
【特許文献】
【０００５】
【特許文献１】特開平８−１８４７４３号公報
【発明の概要】
【発明が解決しようとする課題】
【０００６】
しかしながら、上述の特許文献１に開示された従来技術では、撮影者がズームレンズ操作装置を操作し所望の画角が得られた後サムリングから手を離すと、弾性部材によりカム部材が勢いよく押される。すると、押されたカム部材と摺動部材がサムリングの中立点復帰時に衝突し、大きな騒音を発生させる。この騒音に対して、カム部材と摺動部材の摺動抵抗を増やす等の対策を行うと、撮影者が操作を行う際に増やした摺動抵抗を感じてしまうため、操作感を損なうこととなる。
【０００７】
そこで、本発明の目的は、撮影者の操作感を損なうことなく、撮影者がサムリングから手を離しても、サムリングの中立点復帰時の騒音が発生しないことが可能となるズームレンズ操作装置を提供することにある。
【課題を解決するための手段】
【０００８】
上記の目的を達成するために、本発明に係るズームレンズ操作装置は、
弾性部材とカム部材とカム摺動部材により、中立点位置を安定位置となるように弾性的に支持されたサムリングと、前記サムリングの回転変位が伝達されて動作に必要な出力信号を得ることで、テレビレンズのズーム遠隔操作を行わせるサーボコントロール手段を有するテレビレンズ操作装置において、前記サムリング内部に流体と錘部材と前記流体の漏れを防止する封止部材が設けられていることを特徴とする。
【発明の効果】
【０００９】
本発明によれば、撮影者の操作感を損なうことなく、撮影者がサムリングから手を離しても、サムリングの中立点復帰時の騒音が発生しないことが可能となるズームレンズ操作装置を提供することが出来る。
【図面の簡単な説明】
【００１０】
【図１】実施例１の断面図である。
【図２】図１のＡ-Ａ断面図である。
【図３】図１のＢ視図である。
【図４】実施例２の断面図である。
【図５】図４のＣ-Ｃ断面図である。
【発明を実施するための形態】
【００１１】
以下に、本発明の好ましい実施の形態を、添付の図面に基づいて詳細に説明する。図１〜図５は本発明の実施形態にかかわるズームレンズ操作装置である。
【００１２】
［実施例１］
以下、図１〜図３を参照して、本発明の第１の実施例によるズームレンズ操作装置について説明する。
【００１３】
図１は本実施例１の断面図である。図２は図１のＡ−Ａ断面図である。図３は図１のＢ視図である。また、図２及び図３における(a) はサムリング1の中立点復帰状態、(b)は撮影者によりサムリング1が操作された状態、(c)は撮影者がサムリング1から手を離し、サムリング1が中立点に復帰する途中の状態である。
【００１４】
サムリング1による角度検出構造について説明する。
【００１５】
サムリング1はネジ2によって、コマ3を介して回転軸4に取り付けられる。また、筐体筒5には直溝環6が固定されている。直溝環6に設けられたベアリング7a及び筐体筒5に設けられたベアリング7bを介し押え環8を筐体筒5に取り付けることで、回転軸4は筐体筒5に対して回転可能に保持される。筐体筒5には板金9を介して角度センサ10が固定される。角度センサ10に設けられた回転することで角度を検出するセンサ軸10aが回転軸4に固定される。
【００１６】
このような構造において、サムリング1を回転操作すると、回転軸4を介してセンサ軸10aが回転するため、サムリング1の回転角度信号が検出される。この検出された角度信号により、図示されないテレビレンズのズーム部が駆動する。
【００１７】
サムリング1の中立点復帰構造及びサムリング1の操作時の操作感が発生する構造について説明する。
【００１８】
回転軸4に固定されたカムコロ11とスライドカム12に設けられたカム溝12a及びスライドカム12に固定された直動コロ13と直溝環6に設けられた直溝6aが各々係合する。また、筐体筒５にはカバー14及び内径にネジ部15aが設けられた蓋15が取り付けられている。ネジ16を介してつまみ17が取り付けられているストッパー18はネジ部15aと係合するネジ部18aが設けられているため、つまみ17を回転することで蓋15に対してストッパー18はネジ送り可能に保持される。スライドカム12とストッパー18の間には、常に押された状態の圧縮コイルバネ19が設けられている。
【００１９】
このような構造において、図２(a)及び図３(a)のように撮影者がサムリング1に触れていない状態では、圧縮コイルバネ19により、直動コロ13と直溝環6により回転規制されたスライドカム12のカム溝12aがカムコロ11を押す。結果、カムコロ11がカム溝12aにより回転規制されるため、サムリング1が中立点復帰状態となる。
【００２０】
次に、図２(b)及び図３(b)のように撮影者がサムリング1を回転操作すると、カムコロ11はカム溝12aに係合しながら回転方向にのみ動き、スライドカム12はカム溝12aに沿って圧縮コイルバネ19を更に押す。撮影者はこの圧縮コイルバネ19を押すことで受ける反発力を感じるため、それが撮影者の操作感となる。また、つまみ17を回転させることで、ストッパー18がネジ送りされるため、圧縮コイルバネ19の押す力を変化させることが可能であり、つまりは撮影者の操作感を変化させることが可能となる。
【００２１】
撮影者がサムリング1を操作している状態から、サムリング1を操作している手を離しサムリング1が中立点に復帰する構造について説明する。
【００２２】
サムリング1には防油リング20が取り付けられた固定板21がネジ部材22により固定されている。加えて固定板21には鋼球23と油24が内部に設けられたサムリング蓋25が固定される。
【００２３】
このような構造において、図２(b)及び図３(b)で示すようなサムリング１を撮影者が操作している状態から、撮影者がサムリング１から手を離すと、上述したようにサムリング1は中立点に復帰しようとするため、図２(c)に示されるX方向の力を受ける。
【００２４】
同時に油24もサムリング1からX方向に力を受けるため、油24はX方向の流速が発生する。すると、サムリング1には油24と自重により常に図下方向に位置する鋼球から粘性抵抗力を受けるため、図３(c)で示すようなY方向の力が加えられる。結果、サムリング1は中立点に復帰しようとする力が抑制されるため、サムリング1の中点復帰時にスライドカム12とカムコロ11が衝突する衝撃が抑制され、つまりは衝撃による騒音が発生しない。ここで、鋼球23が油24から受ける抵抗について、以下に一般に知られるStokesの抵抗法則の式を紹介する。
【００２５】
F=6πηRU
球の抵抗力      ：F
球体の半径      ：R
粘性流体の流速  ：U
粘性係数        ：η
上式で示されるように、球と粘性による抵抗力は粘性流体の流速に比例する。
【００２６】
撮影者が所望の画角にするためサムリング1を操作しながら画角調整を行う際には、サムリング1は遅い速度で動かされ、油24（粘性流体）の流速は小さい。結果、鋼球23と油24による抵抗力も小さいために、サムリング1を撮影者が操作している際に発生する抵抗力は、上述した圧縮コイルバネ19による操作感に影響を与えることは無く、撮影者の操作感を損なうことはない。
【００２７】
一方、撮影者がサムリング1を離した際には、サムリング1は圧縮コイルバネ19から押されて勢いよく中立点に復帰しようとするために油24の流速は大きい。結果、鋼球23と油24による抵抗力は大きくなるため、上述したようにサムリング1の中立点に復帰する騒音は発生しない。また、つまみ17により操作感を変化させると、サムリング1が中立点に復帰しようとする力も変化するため、中立点復帰時の油24の流速も変化し常に適切な抵抗力が得られる。
【００２８】
［実施例２］
以下、図４〜図５を参照して、本発明の第２の実施例によるズームレンズ操作装置について、実施例１と異なる箇所のみ説明する。
【００２９】
図４は本実施例２の断面図である。図５は図４のＣ−Ｃ断面図である。図５における(a) はサムリングの中立点復帰状態、(b)は撮影者によりサムリングが操作された状態、(c)は撮影者がサムリングから手を離し、サムリングが中立点に復帰する途中の状態である。
【００３０】
サムリング1による角度検出構造とサムリング1の中立点復帰構造及びサムリング1の操作時の操作感が発生する構造については実施例１と同じため省略する。
【００３１】
撮影者がサムリング1を操作している状態から、サムリング1を操作している手を離しサムリング1が中立点に復帰する構造について説明する。
【００３２】
サムリング1には防油リング26が取り付けられた固定板27がネジ22により固定されている。加えて固定板27には鋼棒28と油24が内部に設けられたサムリング蓋29が固定される。一方、筐体筒5とカバー14の間には磁石30が固定されている。
【００３３】
このような構造において、図５(b)で示すようなサムリング１を撮影者が操作している状態から、撮影者がサムリング１から手を離すと、上述したようにサムリング1は中立点に復帰しようとするため、図５(c)に示されるα方向の力を受ける。同時に油24もサムリング1からα方向に力を受けるため、油26はα方向の流速が発生する。
【００３４】
ところで、鋼棒28は磁石30に磁力による引力を受けるため、常に図下方向に位置する。すると、サムリング1には油24と常に図下方向に位置する鋼棒28から粘性抵抗力を受けるため、図５(c)で示すようなβ方向の力が加えられる。結果、サムリング1は中立点に復帰しようとする力が抑制されるため、サムリング1の中点復帰時にスライドカム12とカムコロ11が衝突する衝撃が抑制され、つまりは衝撃による騒音が発生しない。
【００３５】
ここで、鋼棒28が油24から受ける抵抗については、Stokesの抵抗法則の式と同様に、粘性流体の流速に比例する。撮影者が所望の画角にするためサムリング1を操作しながら画角調整を行う際には、サムリング1は遅い速度で動かされ、油24の流速は小さい。結果、鋼棒28と油24による抵抗力も小さいために、サムリング1を撮影者が操作している際に発生する抵抗力は、上述した圧縮コイルバネ19による操作感に影響を与えることは無く、撮影者の操作感を損なうことはない。
【００３６】
一方、撮影者がサムリング1を離した際には、サムリング1は圧縮コイルバネ19から押されて勢いよく中立点に復帰しようとするために油24の流速は大きい。結果、鋼棒28と油24による抵抗力は大きくなるため、上述したようにサムリング1の中立点に復帰する騒音は発生しない。また、つまみ17により操作感を変化させると、サムリング1が中立点に復帰しようとする力も変化するため、中立点復帰時の油24の流速も変化し常に適切な抵抗力が得られる。
【００３７】
以上の構造によって、撮影者はサムリング1の操作感を損なうことなく、サムリング1の中立点に復帰する音を抑制することが可能となる。
【００３８】
以上、本発明の好ましい実施形態について説明したが、本発明はこれらの実施形態に限定されず、その要旨の範囲内で種々の変形及び変更が可能である。
【符号の説明】
【００３９】
1  サムリング、2  ネジ、3  コマ、4  回転軸、5  筐体筒、6  直溝環、6a  直溝、
7  ベアリング、8  押え環、9  板金、10  角度センサ、10a  センサ軸、11  カムコロ、
12  スライドカム、12a  カム溝、13  直動コロ、14  カバー、15  蓋、15a  ネジ部、
16  ネジ、17  つまみ、18  ストッパー、18a  ネジ部、19  圧縮コイルバネ、
20  防油リング、21  固定板、22  ネジ、23  鋼球、24  油、25  サムリング蓋
【図１】
2017097129.tif 000003
【図２】
2017097129.tif 000004
【図３】
2017097129.tif 000005
【図４】
2017097129.tif 000006
【図５】
2017097129.tif 000007